(57)【特許請求の範囲】
【請求項１】
加熱されて設置面へ付着する道路標示シートであって、
該道路標示シートは施工時の加熱によって軟化、又は溶融する熱可塑性を有する基材シートを複数備えており、
該基材シートの少なくとも１枚は外形形状によって標示を表すように設けられると共に、熱可塑性接着剤によって異なる他の基材シートへ取り付けられ、
前記熱可塑性接着剤は前記施工時の加熱によって軟化、又は溶融するように設けられており、
前記熱可塑性接着剤によって取り付けられている前記各基材シートはそれぞれ横方向に配置され、該各基材シートの各々の縁同士が当接すると共に、前記各基材シートの下面に付着する前記熱可塑性接着剤が前記各基材シートに架け渡される膜部を形成して前記各基材シートが一体的な状態となされており、
一体的な状態となされた一方の前記基材シートの他方の前記基材シートからの抜け落ちが前記熱可塑性接着剤で形成される前記膜部によって抑制されていることを特徴とする道路標示シート。
【請求項２】
前記熱可塑性接着剤はエチレン−酢酸ビニル共重合体が配合されていると共に、
該熱可塑性接着剤によって取り付けられている前記各基材シートには、エチレン−酢酸ビニル共重合体がそれぞれ配合されていることを特徴とする請求項１に記載の道路標示シート。
【請求項３】
エチレン−酢酸ビニル共重合体を配合する前記熱可塑性接着剤の軟化点が、前記各基材シートにそれぞれ配合されるエチレン−酢酸ビニル共重合体の軟化点よりも高い温度であることを特徴とする請求項２に記載の道路標示シート。
【請求項４】
加熱されて設置面へ付着する道路標示シートであって、
該道路標示シートは施工時の加熱によって軟化、又は溶融する熱可塑性を有する基材シートを複数備えており、
該基材シートの少なくとも１枚は外形形状によって標示を表すように設けられると共に、熱可塑性接着剤によって異なる他の基材シートへ取り付けられ、
前記熱可塑性接着剤は前記施工時の加熱によって軟化、又は溶融するように設けられており、
前記熱可塑性接着剤はエチレン−酢酸ビニル共重合体が配合されていると共に、
該熱可塑性接着剤によって取り付けられている前記各基材シートには、エチレン−酢酸ビニル共重合体がそれぞれ配合されており、
エチレン−酢酸ビニル共重合体を配合する前記熱可塑性接着剤の軟化点が、前記各基材シートにそれぞれ配合されるエチレン−酢酸ビニル共重合体の軟化点よりも高い温度であることを特徴とする道路標示シート。
【請求項５】
加熱されて設置面へ付着する道路標示シートであって、
該道路標示シートは施工時の加熱によって軟化、又は溶融する熱可塑性を有する基材シートを複数備えており、
該基材シートの少なくとも１枚は外形形状によって標示を表すように設けられると共に、熱可塑性接着剤によって異なる他の基材シートへ取り付けられ、
前記熱可塑性接着剤は前記施工時の加熱によって軟化、又は溶融するように設けられており、
前記熱可塑性接着剤によって取り付けられている前記各基材シートはそれぞれ上下方向に配置され、一方の基材シートの下面と他方の基材シートの上面とが前記熱可塑性接着剤を介して接着されていることを特徴とする道路標示シート。
【発明の詳細な説明】
【技術分野】
【０００１】
本発明は、複数のシートを組み合わせて、路面に線、文字、ピクト、記号等を描き、これによって誘導、案内、道路中央線、横断歩道等を明示するための道路標示シートに関するものである。
【背景技術】
【０００２】
複数のシートを組み合わせて路面に線や文字等の標示を行う道路標示シートに関しては種々の発明が開示されている。例えば特許文献１には、段落００１３〜００１６や、図１〜３において、異なる色調の基材シート１ａ、１ｂを用いて数字などを描くように形成した路面標示シートを加熱溶着させて施工する構成が本件出願人によって開示されている。
【先行技術文献】
【特許文献】
【０００３】
【特許文献１】特開２０１１−１６９０４８号公報
【発明の概要】
【発明が解決しようとする課題】
【０００４】
特許文献１に示される路面標示シートは、加熱溶着させる場合と、前記基材シートの裏面に感圧型粘着剤を付着させて加熱せずに圧着させる場合とを、選択自在に行なうことができるように設けたものであるが、本発明はこれとは異なる構成によって、より容易に加熱溶着による施工ができる路面標示シートを提供するものである。
【課題を解決するための手段】
【０００５】
上記目的を達成するため、本発明は以下のような構成としている。
即ち、本発明に係る道路標示シートは、加熱されて設置面へ付着する道路標示シートであって、該道路標示シートは施工時の加熱によって軟化、又は溶融する熱可塑性を有する基材シートを複数備えており、該基材シートの少なくとも１枚は外形形状によって標示を表すように設けられると共に、熱可塑性接着剤によって異なる他の基材シートへ取り付けられ、前記熱可塑性接着剤は前記施工時の加熱によって軟化、又は溶融するように設けられており、前記熱可塑性接着剤によって取り付けられている前記各基材シートはそれぞれ横方向に配置され、該各基材シートの各々の縁同士が当接すると共に、前記各基材シートの下面に付着する前記熱可塑性接着剤が前記各基材シートに架け渡される膜部を形成して前記各基材シートが一体的な状態となされており、一体的な状態となされた一方の前記基材シートの他方の前記基材シートからの抜け落ちが前記熱可塑性接着剤で形成される前記膜部によって抑制されていることを特徴とするものである。
また、加熱されて設置面へ付着する道路標示シートであって、該道路標示シートは施工時の加熱によって軟化、又は溶融する熱可塑性を有する基材シートを複数備えており、該基材シートの少なくとも１枚は外形形状によって標示を表すように設けられると共に、熱可塑性接着剤によって異なる他の基材シートへ取り付けられ、前記熱可塑性接着剤は前記施工時の加熱によって軟化、又は溶融するように設けられており、前記熱可塑性接着剤はエチレン−酢酸ビニル共重合体が配合されていると共に、該熱可塑性接着剤によって取り付けられている前記各基材シートには、エチレン−酢酸ビニル共重合体がそれぞれ配合されており、エチレン−酢酸ビニル共重合体を配合する前記熱可塑性接着剤の軟化点が、前記各基材シートにそれぞれ配合されるエチレン−酢酸ビニル共重合体の軟化点よりも高い温度であることを特徴とするものである。
また、加熱されて設置面へ付着する道路標示シートであって、該道路標示シートは施工時の加熱によって軟化、又は溶融する熱可塑性を有する基材シートを複数備えており、該基材シートの少なくとも１枚は外形形状によって標示を表すように設けられると共に、熱可塑性接着剤によって異なる他の基材シートへ取り付けられ、前記熱可塑性接着剤は前記施工時の加熱によって軟化、又は溶融するように設けられており、前記熱可塑性接着剤によって取り付けられている前記各基材シートはそれぞれ上下方向に配置され、一方の基材シートの下面と他方の基材シートの上面とが前記熱可塑性接着剤を介して接着されていることを特徴とするものである。
【０００６】
本発明に係る道路標示シートによれば、施工時の加熱によって軟化、又は溶融する熱可塑性を有する基材シートを複数備え、この基材シートの少なくとも１枚を外形形状によって標示を表すように設けると共に、熱可塑性接着剤によって異なる他の基材シートへ取り付けるので、標示を表すための基材シートを他の基材シートと組み合わせて一体とした状態が施工のための加熱を行うまで保つことができる。
また、前記熱可塑性接着剤が施工時の加熱によって軟化、又は溶融するので、軟化、又は溶融することで生じる前記各基材シートの変形を前記熱可塑性接着剤が阻害せず、道路標示シートの施工性が良好となる。
【０００７】
また、前記熱可塑性接着剤にエチレン−酢酸ビニル共重合体を配合させると共に、この熱可塑性接着剤によって取り付ける各基材シートにエチレン−酢酸ビニル共重合体をそれぞれ配合させれば、各基材シートと各熱可塑性接着剤との親和性が高まり、施工時の加熱によって熱可塑性接着剤と各基材シートとがそれぞれ軟化、又は溶融したときに各基材シートの取付部分がより強固に付着されるようになされるので好ましい。
【０００８】
また、エチレン−酢酸ビニル共重合体を配合する前記熱可塑性接着剤の軟化点を、前記各基材シートにそれぞれ配合させるエチレン−酢酸ビニル共重合体の軟化点よりも高い温度とすれば、道路標示シートの施工前に熱可塑性接着剤が軟化するような状況が生じにくく、軟化した熱可塑性接着剤が汚れとなったり、他の物品にくっつくなどの問題が生じにくくなされるので、好ましい。
【０００９】
また、前記熱可塑性接着剤によって取り付ける前記各基材シートをそれぞれ上下方向に配置させ、一方の基材シートの下面と他方の基材シートの上面とを前記熱可塑性接着剤を介して接着させれば、施工時に道路標示シートを加熱し、設置面の凸凹に対応して下方に配置させた基材シートが変形したときに、この変形に追随して生じる上方に配置させた基材シートの変形を熱可塑性接着剤が阻害せず、道路標示シートが良好に施工できるので、好ましい。
【００１０】
また前記熱可塑性接着剤によって取り付けている前記各基材シートをそれぞれ横方向に配置させ、この各基材シートの各々の縁同士を当接させると共に、前記各基材シートの下面に付着させた前記熱可塑性接着剤で前記各基材シートに架け渡す膜部を形成すれば、各基材シートの厚みが小さい場合でも、各基材シートを一体の状態に容易に設けることができる。
【発明の効果】
【００１１】
本発明に係る道路標示シートによれば、複数の基材シートを組み合わせて設ける道路標示シートを加熱溶着させる施工が容易にできる。
【図面の簡単な説明】
【００１２】
【図１】本発明に係る道路標示シートの実施の一形態を示す平面図である。
【図２】図１のＡ−Ａ断面図である。
【図３】図２の要部を拡大した図である。
【図４】本発明に係る道路標示シートの実施の他の一形態を示す平面図である。
【図５】図４の底面図である。
【図６】図５のＡ−Ａ断面図である。
【図７】図６の要部を拡大した図である。
【図８】本発明に係る道路標示シートの実施の他の一形態を示す底面図である。
【発明を実施するための形態】
【００１３】
本発明の実施の形態を図面に基づき具体的に説明する。
図面において、１は道路標示シートである。
図１に示す道路標示シート１は、四隅を角丸に設けた矩形シート状に形成しており、上面に「止まれ」の文字を表している。
【００１４】
前記道路標示シート１は、矩形シート状に形成した基材シート２ａを１枚と、これと色調の異なる基材シート２ｂを３枚備えており、前記各基材シート２ｂは、その外形を「止」、「ま」、「れ」の文字の形状にそれぞれ形成させている。
【００１５】
図２は図１のＡ−Ａ断面図であり、図３は図２の要部を拡大した図である。
前記各基材シート２ｂは基材シート２ａの上面に取り付けている。
具体的には、各基材シート２ｂは、その下面に熱可塑性接着剤３を塗布し、基材シート２ａの上面へ接着している。このように各基材シート２ｂを基材シート２ａへ取り付けることで、「止まれ」の標示を表す各基材シート２ｂが基材シート２ａ上で位置ずれせず、施工前に各基材シート２ｂの位置を修正するような余計な手間が生じない。
図１〜３に示す道路標示シートにおいて、前記熱可塑性接着剤３は各基材シート２ｂの下面の略全面に亘って塗布しているが、各基材シート２ｂが基材シート２ａから容易に分離しない程度の強度で接着できればよく、熱可塑性接着剤３を各基材シート２ｂの下面の一部のみに塗布させてもよい。
【００１６】
前記道路標示シート１は、路面などの設置面へ載置させて下面を当接させ、上面側から炎であぶる等の方法で加熱することで軟化、又は溶融し、設置面へ付着させるように形成している。
具体的には、前記基材シート２ａ、２ｂは、加熱によって軟化、又は溶融し、加熱を停止すると再び固まる結合材を原料として含有している。詳細には、前記基材シート２ａ、２ｂは、前記結合材の他に、ワックスや、顔料などの添加剤を原料として含有しており、これらを均一に溶融混合させ、シート状に形成して、前記基材シート２ａ、２ｂを設けている。
尚、色調の異なる前記基材シート２ａと各基材シート２ｂとは、異なる顔料をそれぞれ含有させているが、顔料以外の原料は略同一である。
【００１７】
前記結合材としては、エチレン−酢酸ビニル共重合体や、ロジンや、石油樹脂などを選択、又は組み合わせて用いることができ、前記各基材シート２ａ、２ｂは、結合材としてエチレン−酢酸ビニル共重合体を全体の１０〜３０重量％程度配合させている。
【００１８】
前記熱可塑性接着剤３は、加熱することで軟化、又は溶融し、加熱が停止すると再び固まる、所謂、ホットメルト系接着剤を利用でき、例えば、エチレン−酢酸ビニル共重合体、ポリオレフィン、ポリウレタン、ポリアミド、アクリル等の樹脂やゴム等からなる公知のホットメルト系接着剤を選択・又は組み合わせて利用できる。
図１〜３に示す道路標示シートでは、熱可塑性接着剤３に、エチレン−酢酸ビニル共重合体を主成分とするホットメルト系接着剤を用いている。
【００１９】
前記熱可塑性接着剤３を用いず、低粘着性のテープなどを各基材シートのそれぞれの上面へ架け渡すように貼着させて各基材シート２ｂを基材シート２ａの上面へ取り付けるような場合には、前記テープは施工のための加熱を行う前に道路標示シート１から剥がしておく必要があるので、テープを剥がした後で各基材シート２ｂが基材シート２ａの上面で位置ずれし、正しい位置へ修正するような余計な手間が生じる恐れがある。
熱可塑性接着剤３を用いて各基材シート２ｂを基材シート２ａへ取り付けることで、加熱する前に各基材シート２ｂが基材シート２ａ上で位置ずれするような問題が生じにくく、また、加熱したときには各基材シート２ａ、２ｂがそれぞれ軟化、又は溶融し、互いの位置にずれが生じにくい状態となる。即ち、熱可塑性接着剤３を用いて各基材シート２ｂを基材シート２ａへ取り付けることで、基材シート２ａと各基材シート２ｂとの一体的な状態が、施工前から施工が完了するまで維持されるので、施工性が向上する。例えば、道路標示シート１を持ち運びしたり、設置面へ載置させた道路標示シート１の位置を調整する等の場合に、各基材シート２ｂが基材シート２ａの上で位置ずれする等の問題が抑制できる。
【００２０】
また、前記熱可塑性接着剤３は、その軟化点が、前記道路標示シート１を設置面へ施工する際に加熱する温度より低いものを利用している。
このような熱可塑性接着剤３を用いることで、道路標示シート１を施工するために加熱したときに、各基材シート２ａ、２ｂが軟化、又は溶融すると共に、熱可塑性接着剤３も軟化、又は溶融するようになされる。このため、路面等の設置面に凸凹が存在する場合、施工のための加熱で軟化、又は溶融した各基材シート２ａ、２ｂが前記凸凹に追随して変形するが、熱可塑性接着剤３も軟化、又は溶融するのでこれらの変形を熱可塑性接着剤３が阻害することがなく、道路標示シート１を設置面へ良好に付着させることができる。
【００２１】
また、前記熱可塑性接着剤３は、その軟化点が、各基材シート２ａ、２ｂに配合させた前記結合材の軟化点よりも高いものを利用しており、具体的には、前記熱可塑性接着剤３は、前記基材シート２ａ、２ｂに結合材として配合させたエチレン−酢酸ビニル共重合体の軟化点よりも若干高い温度で軟化するものを採用している。
各基材シート２ａ、２ｂの結合材の軟化点と同一、又は、より低い軟化点の熱可塑性接着剤３を用いても良いが、より軟化点の高い前記熱可塑性接着剤３を利用することで、道路標示シート１を施工するために加熱したときに、各基材シート２ａ、２ｂが軟化する前に熱可塑性接着剤３が軟化するような状況が生じにくくなされるので、各基材シート２ａ、２ｂが軟化する前にそれぞれ分離してしまうような問題が生じにくく、施工性が向上する。
【００２２】
図４は本発明に係る道路標示シート１の実施の他の一形態を示す平面図である。
図４に示す道路標示シート１は、四隅を角丸に設けた矩形シート状に形成しており、上面に「ＺＯＮＥ」の文字と、「３０」の数字を表している。
【００２３】
前記道路標示シート１は、矩形シート状に形成した基材シート２ａと、これと色調の異なる基材シート２ｂとを備えており、前記各基材シート２ｂは、その外形を「Ｚ」「Ｏ」「Ｎ」「Ｅ」「３」「０」の文字と数字の形状にそれぞれ形成させている。
尚、図４に示す道路標示シート１の基材シート２ａ及び各基材シート２ｂの材質や軟化点等の性質などは、図１〜３に示す道路標示シート１の基材シート２ａ及び各基材シート２ｂと同一である。
【００２４】
図５は図４の底面図であり、図６は図５のＡ−Ａ断面図であり、図７は図６の要部を拡大した図である。
前記基材シート２ａと、各基材シート２ｂとは、それぞれ横方向に配置している。
具体的には、前記基材シート２ａには、前記各基材シート２ｂの外形形状に対応する孔部を切り抜いて形成しており、前記各基材シート２ｂは基材シートに設けた各孔部に嵌め込んで配置させている。
更に、「ＺＯＮＥ」の「Ｏ」の文字や、「３０」の「０」の数字を構成する基材シート２ｂにおいては、リング状の各基材シート２ｂの内側に、対応する外形に切り出した基材シート２ａを嵌め込んでいる。
このように各基材シート２ａ、２ｂを配置させることで、各基材シート２ａ、２ｂの上面が前記道路標示シート１の上面を構成するとともに、各基材シート２ａ、２ｂの下面が道路標示シート１の下面を構成するように設けられる。
【００２５】
前記道路標示シート１の下面には、熱可塑性接着剤３を塗布している。
具体的には、熱可塑性接着剤３は、道路標示シート１の下面を構成する各基材シート２ａ、２ｂの下面へ向けてスプレーで吹き付けて塗布しており、各基材シート２ｂの下面の全面と、各基材シート２ｂの縁付近の基材シート２ａの下面へ向けて吹き付けている。
尚、図４〜７に示す道路標示シート１の熱可塑性接着剤３の材質や軟化点などの性質は、図１〜３に示す道路標示シート１の熱可塑性接着剤３と同一である。
【００２６】
熱可塑性接着剤３を塗布することで、道路標示シート１の下面には前記熱可塑性接着剤３からなる膜部３１を形成させている。
前記道路標示シート１の基材シート２ａと各基材シート２ｂとは、各々の縁同士が当接するように配置させているが、これらの下面へ熱可塑性接着剤３を塗布することで、前記基材シート２ａの下面と、各基材シート２ｂの下面とに架け渡すように膜部３１を形成させている。
このように膜部３１を形成することで、基材シート２ａと、基材シート２ａの孔部へ嵌め込んだ各基材シート２ｂとが一体的な状態となり、道路標示シート１を持ち運びしたり、設置面へ載置させた道路標示シート１の位置を調整する等の場合に、各基材シート２ｂが基材シート２ａから抜け落ちるような問題を抑制できる。
【００２７】
前記道路標示シート１は、図５に示すように、基材シート２ａの下面の一部には熱可塑性接着剤３を吹き付けていないが、これに限るものではなく、道路標示シート１の下面全体に膜部３１が形成されるようにスプレーで吹き付けて熱可塑性接着剤３を塗布してもよい。
【００２８】
また、前記道路標示シート１は、熱可塑性接着剤３をスプレーで吹き付けているため、図７に示すように、スプレーで塗布した範囲において膜部３１が形成されていない隙間Ｓが生じているが、熱可塑性接着剤３の塗布の方法や条件を調整して、隙間Ｓが生じず、熱可塑性接着剤３を塗布した範囲全てに膜部３１が形成されるように設けても良い。
【００２９】
前記熱可塑性接着剤３は、図１〜３に示す道路標示シート１の熱可塑性接着剤３と同様に、その軟化点が、前記道路標示シート１を設置面へ施工する際に加熱する温度より低いものを利用しているので、道路標示シート１を施工するために加熱したときに、各基材シート２ａ、２ｂが軟化、又は溶融すると共に、熱可塑性接着剤３も軟化する。このため、熱可塑性接着剤３が各基材シート２ａ、２ｂを設置面へ付着させる接着剤として機能する。また、路面等の設置面に凸凹が存在する場合、施工のための加熱で軟化、又は溶融した各基材シート２ａ、２ｂが前記凸凹に追随して変形するが、熱可塑性接着剤３も軟化するのでこれらの変形を熱可塑性接着剤３が阻害することがなく、道路標示シート１を設置面へ良好に付着させることができる。
【００３０】
また、前記熱可塑性接着剤３は、各基材シート２ａ、２ｂの結合材の軟化点と同一、又は、より低い軟化点のものを用いても良いが、図１〜３に示す道路標示シート１と同様に、各基材シート２ａ、２ｂの結合材より高い軟化点の熱可塑性接着剤３を利用している。このため、道路標示シート１を施工するために加熱したときに、各基材シート２ａ、２ｂが軟化する前に熱可塑性接着剤３が軟化するような状況が生じにくくなされるので、各基材シート２ａ、２ｂが軟化する前にそれぞれ分離してしまうような問題が生じにくく、施工性が向上する。
【００３１】
図８は本発明に係る道路標示シート１の実施の他の一形態を示す底面図である。
図８に示す道路標示シート１は、その下面に塗布する熱可塑性接着剤３の範囲が、図４〜７に示す道路標示シート１との主な相違点である。
【００３２】
即ち、図４〜７に示す道路標示シート１と同様に、図８に示す道路標示シート１は、四隅を角丸に設けた矩形シート状の基材シート２ａの孔部に、外形を「Ｚ」「Ｏ」「Ｎ」「Ｅ」「３」「０」の文字と数字の形状にそれぞれ形成させた基材シート２ｂを嵌め込んで設けており、その下面に熱可塑性接着剤３をスプレーで吹き付けて、膜部３１を形成している。
尚、前記基材シート２ａ、２ｂ、及び熱可塑性接着剤３は、図４〜７に示す道路用標示体１の前記基材シート２ａ、２ｂ、及び熱可塑性接着剤３と同一である。
【００３３】
図８に示す道路標示シート１は、スプレーによる熱可塑性接着剤３の吹きつけの範囲を、各基材シート２ｂの全体ではなく、各基材シート２ｂの下面の一部及び基材シート２ａの下面の一部としている。具体的には、道路標示シート１の下面へ向けてスプレーを吹き付けるときに、吹き付け範囲が螺旋を描くようにスプレーを回転させつつ、横方向へ動かして熱可塑性接着剤３を塗布している。
【００３４】
上記のように、熱可塑性接着剤３を塗布することで、前記基材シート２ａと、各基材シート２ｂとの各々の縁同士が当接している箇所において、熱可塑性接着剤３からなる膜部３１が形成されない部分が生じる。しかしながら、前記基材シート２ａの下面と、各基材シート２ｂの下面とに架け渡すように設ける膜部３１が部分的に形成されることで、基材シート２ａと、基材シート２ａと各基材シート２ｂとは一体的な状態となり、各基材シート２ｂが基材シート２ａから抜け落ちるような問題が抑制できる。
【００３５】
尚、本発明に係る道路標示シート１は、上記実施形態に限定されるものではなく、本発明の要旨を逸脱しない範囲で種々の変更が可能である。
例えば、図１〜３に示す道路標示シート１、図４〜７に示す道路標示シート１、及び図８に示す道路標示シート１は、熱可塑性接着剤３の塗布をスプレーによる吹き付けで行っているが、これに限るものではなく、スプレーによる吹き付けや、グルーガンを用いる方法や、はけ塗り、転写、カーテンコートなど、公知の塗布方法を選択又は組み合わせて用いても良い。
【００３６】
また、図４〜７に示す道路標示シート１や、図８に示す道路標示シート１は、複数の基材シート２ａ、２ｂを横方向へのみ配置させて熱可塑性接着剤３からなる膜部３１で一体的な状態に設けているが、これに限るものではない。
例えば、図４〜７や図８に示す道路標示シート１において、施工時の加熱によって軟化、又は溶融する熱可塑性を有する基材シート２ｃを用意し、各基材シート２ａ、２ｂの上方に前記基材シート２ｃを配置させて熱可塑性接着剤３を用いて接着させてもよい。即ち、図１〜３に示す道路標示シート１の基材シート２ｂと同様に、前記基材シート２ｃの下面に熱可塑性接着剤３を塗布し、少なくとも前記基材シート２ａ、２ｂのいずれかの上面へ貼り付けて設けても良い。
【００３７】
また、図８に示す道路標示シート１では、各基材シート２ａ、２ｂのそれぞれの下面の一部へ熱可塑性接着剤３を塗布する方法として、吹き付け範囲が螺旋を描くようにスプレーを回転させつつ、横方向へ動かして塗布しているが、これに限るものではない。例えば、スプレーを回転させずに縦方向や横方向や斜め方向へ直線状に動かして吹き付け範囲が直線を描くように吹き付けても良く、更にスプレーを蛇行させるように動かして吹き付け範囲が矩形波や正弦波のような波を描くように吹き付けてもよく、スプレーを動かさずに熱可塑性接着剤３を吹き付けて、吹き付け範囲が点状に設けられるように吹き付けてもよく、他の吹き付け方法で吹き付けても良い。
【００３８】
また、図４〜７に示す道路標示シート１や、図８に示す道路標示シート１は、基材シート２ａの下面と基材シート２ｂの下面とに架け渡される熱可塑性接着剤３からなる膜部３１を、スプレーで吹き付けた前記熱可塑性接着剤３によって形成しているが、これに限るものではない。例えば、熱可塑性接着剤３をあらかじめシート状に形成し、これを基材シート２ａの下面と基材シート２ｂの下面とに架け渡して取り付けることで膜部３１を形成してもよい。
【００３９】
あらかじめシート状に設けた熱可塑性接着剤３を用いて前記膜部３１を形成する場合には、この熱可塑性接着剤３を溶融させ、熱可塑性接着剤３の接着力によって前記基材シート２ａおよび基材シート２ｂへ取り付けることができる。また、シート状の熱可塑性接着剤３を溶融させず、その一方の面に粘着剤を塗布し、この粘着剤の粘着力によって前記基材シート２ａおよび基材シート２ｂへ取り付けて、膜部３１を形成してもよい。
【００４０】
図１〜３に示す道路標示シート１は、基材シート２ｂの下面に熱可塑性接着剤３を塗布し、この熱可塑性接着剤３の接着力によって基材シート２ｂを基材シート２ａへ接着させているが、これに限るものではない。例えば、熱可塑性接着剤３をあらかじめシート状に形成し、その一方の面を基材シート２ａへ貼着させ、他方の面を基材シート２ｂへ貼着させて、基材シート２ｂを基材シート２ａへ取り付けるようにしてもよい。この場合には、シート状に設けた熱可塑性接着剤の両方の面にそれぞれ粘着剤を塗布し、この粘着剤の粘着力によって各基材シート２ａ、２ｂへ貼着させることができる。
【符号の説明】
【００４１】
１    道路標示シート
２ａ、２ｂ  基材シート
３    熱可塑性接着剤
３１  膜部
Ｓ    隙間
【図１】
0006685862.tif 000002
【図２】
0006685862.tif 000003
【図３】
0006685862.tif 000004
【図４】
0006685862.tif 000005
【図５】
0006685862.tif 000006
【図６】
0006685862.tif 000007
【図７】
0006685862.tif 000008
【図８】
0006685862.tif 000009